(57)【要約】【課題】遠心ファンが流す複数の空気流れの分離性を良好に確保し、その複数の空気流れ同士の混ざり合いをブレードに対する空気流れ上流側で防止することでファン性能の低下を抑制する。【解決手段】遠心ファン１２の分離板部１２３によって第１ブレード１２１の相互間の空気と第２ブレード１２２の相互間の空気との混合を防止できるので、遠心ファン１２が流す複数の空気流れの分離性を良好に確保できる。また、遠心ファン１２の内側延設部１２６は、分離板部１２３からファン径方向ＤＲｒの内側へ延設されて形成されている。そのため、内側延設部１２６は、第１ブレード１２１の相互間へ向かう空気と第２ブレード１２２の相互間へ向かう空気とを分離し且つ整流しつつ案内する。従って、その各々の空気が形成する空気流れ同士の混ざり合いを第１および第２ブレード１２１、１２２に対する空気流れ上流側で防止し、これによりファン性能の低下を抑制できる。【選択図】図１
2019173570.tif 000002
【特許請求の範囲】
【請求項１】
遠心式送風機であって、
ファン軸心（ＣＬ）まわりに配設された複数枚の第１ブレード（１２１）、前記ファン軸心まわりに配設され且つ前記複数枚の第１ブレードに対し前記ファン軸心の軸方向（ＤＲａ）の一方側に並んで位置する複数枚の第２ブレード（１２２）、および、前記複数枚の第１ブレードと前記複数枚の第２ブレードとの間に設けられた分離板部（１２３）を有し、前記ファン軸心まわりに回転することにより、前記軸方向の前記一方側から前記複数枚の第１ブレードの相互間と前記複数枚の第２ブレードの相互間とにそれぞれ空気を吸い込むと共に、前記複数枚の第１ブレードの相互間に吸い込まれた空気を径方向外側へ吹き出し、前記複数枚の第２ブレードの相互間に吸い込まれた空気を径方向外側へ吹き出す遠心ファン（１２）と、
前記軸方向を向いた筒状を成し、前記軸方向の前記一方側とは反対側の他方側ほど拡径し、前記遠心ファンの径方向（ＤＲｒ）において前記複数枚の第２ブレードに対する内側に設けられた隔壁筒部（１４）とを備え、
前記隔壁筒部は、該隔壁筒部に対する前記径方向の内側を通って前記複数枚の第１ブレードの相互間へ吸い込まれる空気と、前記隔壁筒部に対する前記径方向の外側を通って前記複数枚の第２ブレードの相互間へ吸い込まれる空気とを、前記複数枚の第１ブレードおよび前記複数枚の第２ブレードに対する空気流れ上流側で隔てるものであり、
前記分離板部は、前記径方向に拡がる板状を成し、且つ、前記複数枚の第１ブレードの相互間に流れている空気と前記複数枚の第２ブレードの相互間に流れている空気とを分離し、
前記遠心ファンは内側延設部（１２６）を有し、
該内側延設部は、前記分離板部から前記径方向の内側へ延設されて形成され、且つ前記分離板部に対して接続された前記第１ブレードの接続端（１２１ａ）と前記分離板部に対して接続された前記第２ブレードの接続端（１２２ｂ）との何れに対しても前記径方向の内側に設けられている、遠心式送風機。
【請求項２】
前記隔壁筒部は、前記内側延設部を含んで構成され、前記遠心ファンと共に回転する、請求項１に記載の遠心式送風機。
【請求項３】
前記隔壁筒部は、
前記遠心ファンに対し別部材として構成されており、
回転しない非回転部材であり、
前記複数枚の第１ブレードの相互間へ吸い込まれる空気と、前記複数枚の第２ブレードの相互間へ吸い込まれる空気とを、前記内側延設部に対する空気流れ上流側で隔てる、請求項１に記載の遠心式送風機。
【請求項４】
前記遠心ファンの径方向外側にて該遠心ファンを取り囲み且つ該遠心ファンから空気が流入するファン周囲空間（１６２ａ）が形成され、前記遠心ファンを収容するファンケース（１６）と、
前記ファン周囲空間を、第１吹出通路（１６２ｂ）と、該第１吹出通路に対し前記軸方向の前記一方側に配置された第２吹出通路（１６２ｃ）とに仕切る仕切板（１８）とを備え、
前記第１吹出通路には、前記複数枚の第１ブレードの相互間から吹き出された第１の吹出空気が流入し、
前記第２吹出通路には、前記複数枚の第２ブレードの相互間から吹き出された第２の吹出空気が流入し、
前記仕切板は、前記第１の吹出空気が前記第２吹出通路へ流れることを防止し且つ前記第２の吹出空気が前記第１吹出通路へ流れることを防止するように配置されている、請求項１ないし３のいずれか１つに記載の遠心式送風機。
【請求項５】
前記遠心ファンへ向かう空気を濾過するフィルタ（２６）が、前記隔壁筒部に対する前記軸方向の前記一方側に設けられ、
前記隔壁筒部は、前記フィルタにまで延びている、請求項１ないし４のいずれか１つに記載の遠心式送風機。
【請求項６】
前記隔壁筒部とは別部材として該隔壁筒部に対し前記軸方向の前記一方側に設けられ、前記隔壁筒部に対して前記軸方向に直列に並ぶ筒状を成し、前記隔壁筒部の内側へ流れる空気と該隔壁筒部の外側へ流れる空気とを該隔壁筒部に対する空気流れ上流側で隔てる上流側隔壁部（２０）を備え、
前記遠心ファンへ向かう空気を濾過するフィルタ（２６）が、前記上流側隔壁部に対する前記軸方向の前記一方側に設けられ、
前記上流側隔壁部は、前記フィルタにまで延びている、請求項１ないし４のいずれか１つに記載の遠心式送風機。
【発明の詳細な説明】
【技術分野】
【０００１】
本発明は、遠心式送風機に関するものである。
【背景技術】
【０００２】
この種の遠心式送風機として、例えば特許文献１に記載された遠心式送風機が従来から知られている。この特許文献１に記載された遠心式送風機は、２つの空気流れを区分して同時に吸入することができる遠心ファンと、その遠心ファンから吹き出す空気を軸方向一端側の流れと他端側の流れとに仕切る第１ラジアルバンドとを備えている。
【０００３】
その遠心ファンは、回転軸周りに配設された複数枚のブレードを有している。また、第１ラジアルバンドは環板状を成し、遠心ファンの軸方向においてブレードの略中央部に設けられている。
【０００４】
また、特許文献１の遠心式送風機は、遠心ファンの径方向内側に設けられた略円筒状の分離筒を備えている。その分離筒は回転せず、吸入口から遠心ファンに至る吸入通路を２つに仕切る。
【先行技術文献】
【特許文献】
【０００５】
【特許文献１】特開２００４−１３２３４２号公報
【発明の概要】
【発明が解決しようとする課題】
【０００６】
特許文献１には、遠心ファンの径方向において第１ラジアルバンドの幅寸法が、遠心ファンのブレードの幅寸法よりも小さくされた遠心式送風機の構成例が示されている。このような遠心式送風機では、分離筒で互いに分離されていた空気同士がブレード相互間を流通する間に混ざり合うことになる。
【０００７】
また、特許文献１には、遠心ファンの径方向において第１ラジアルバンドの幅寸法がブレードの幅寸法と同一にされた遠心式送風機の別の構成例も示されている。この別の構成例の遠心式送風機では、上記のブレード相互間における空気同士の混ざり合いを防止することはできる。
【０００８】
しかしながら、回転する遠心ファンと非回転の分離筒との間には径方向に開いた隙間が設けられているので、その径方向の隙間を通じた空気の漏れ流れが生じる。すなわち、分離筒で分離されていた空気同士の混ざり合いに起因してブレード相互間へ向かう空気流れに乱れが生じる。そして、その径方向の隙間はブレードの間際に設けられているので、その空気流れの乱れはそのままブレード相互間へ吸い込まれる。このようなことは、特許文献１に示された何れの構成例でも解決されていない。そして、空気流れが乱れたままブレード相互間へ吸い込まれることは、遠心式送風機のファン性能低下につながる。発明者らの詳細な検討の結果、以上のようなことが見出された。
【０００９】
本発明は上記点に鑑みて、複数の空気流れの混ざり合いをブレードに対する空気流れ上流側で防止することでファン性能の低下を抑制すると共に、遠心ファンが流す複数の空気流れの分離性を良好に確保することを目的とする。
【課題を解決するための手段】
【００１０】
上記目的を達成するため、請求項１に記載の遠心式送風機は、
ファン軸心（ＣＬ）まわりに配設された複数枚の第１ブレード（１２１）、ファン軸心まわりに配設され且つ複数枚の第１ブレードに対しファン軸心の軸方向（ＤＲａ）の一方側に並んで位置する複数枚の第２ブレード（１２２）、および、複数枚の第１ブレードと複数枚の第２ブレードとの間に設けられた分離板部（１２３）を有し、ファン軸心まわりに回転することにより、軸方向の一方側から複数枚の第１ブレードの相互間と複数枚の第２ブレードの相互間とにそれぞれ空気を吸い込むと共に、複数枚の第１ブレードの相互間に吸い込まれた空気を径方向外側へ吹き出し、複数枚の第２ブレードの相互間に吸い込まれた空気を径方向外側へ吹き出す遠心ファン（１２）と、
軸方向を向いた筒状を成し、軸方向の一方側とは反対側の他方側ほど拡径し、遠心ファンの径方向（ＤＲｒ）において複数枚の第２ブレードに対する内側に設けられた隔壁筒部（１４）とを備え、
隔壁筒部は、その隔壁筒部に対する径方向の内側を通って複数枚の第１ブレードの相互間へ吸い込まれる空気と、隔壁筒部に対する径方向の外側を通って複数枚の第２ブレードの相互間へ吸い込まれる空気とを、複数枚の第１ブレードおよび複数枚の第２ブレードに対する空気流れ上流側で隔てるものであり、
分離板部は、径方向に拡がる板状を成し、且つ、複数枚の第１ブレードの相互間に流れている空気と複数枚の第２ブレードの相互間に流れている空気とを分離し、
遠心ファンは内側延設部（１２６）を有し、
その内側延設部は、分離板部から径方向の内側へ延設されて形成され、且つ分離板部に対して接続された第１ブレードの接続端（１２１ａ）と分離板部に対して接続された第２ブレードの接続端（１２２ｂ）との何れに対しても径方向の内側に設けられている。
【００１１】
このようにすれば、遠心ファンの分離板部によって第１ブレードの相互間の空気と第２ブレードの相互間の空気との混合を防止できるので、遠心ファンが流す複数の空気流れの分離性を良好に確保できる。
【００１２】
また、遠心ファンの内側延設部は、分離板部から径方向の内側へ延設されて形成され、分離板部に対して接続された第１ブレードの接続端と第２ブレードの接続端との何れに対しても径方向の内側に設けられている。そのため、内側延設部は、第１ブレードの相互間へ向かう空気と第２ブレードの相互間へ向かう空気とを分離し且つ或る程度整流しつつ各々のブレード相互間へ吸い込ませる役割を果たす。従って、第１ブレードの相互間へ向かう空気流れと第２ブレードの相互間へ向かう空気流れとの混ざり合いを第１および第２ブレードに対する空気流れ上流側で防止することができる。これにより、遠心式送風機のファン性能の低下を抑制することが可能である。
【００１３】
なお、特許請求の範囲およびこの欄で記載した括弧内の各符号は、後述する実施形態に記載の具体的内容との対応関係を示す一例である。
【図面の簡単な説明】
【００１４】
【図１】第１実施形態において、ファン軸心を含む平面で遠心式送風機を切断した断面を模式的に示した断面図である。
【図２】図１のII部分を拡大して示した部分拡大図である。
【図３】図２のIII−III断面のうち第１ブレードを抜粋して示した断面図である。
【図４】図２のIV−IV断面のうち第２ブレードを抜粋して示した断面図である。
【図５】比較例において、ファン軸心を含む平面で遠心式送風機を切断した断面を模式的に示した断面図であって、図１に相当する図である。
【図６】第２実施形態において、ファン軸心を含む平面で遠心式送風機を切断した断面を模式的に示した断面図であって、図１に相当する図である。
【発明を実施するための形態】
【００１５】
以下、図面を参照しながら、各実施形態を説明する。なお、以下の各実施形態相互において、互いに同一もしくは均等である部分には、図中、同一符号を付してある。
【００１６】
（第１実施形態）
本実施形態の遠心式送風機１０（以下、単に「送風機１０」と呼ぶ）は、例えば車両用エアコンに用いられるものであり、複数の空気流れを相互に分離しつつ送風する。図１および図２に示すように、送風機１０は、遠心ファン１２、隔壁筒部１４、ファンケース１６、仕切板１８、上流側隔壁部２０、およびモータ２２を備えている。
【００１７】
遠心ファン１２は、ファン軸心ＣＬまわりに回転することにより、互いに分離された複数の空気流れをそれぞれファン軸心ＣＬの軸方向ＤＲａの一方側から吸い込む片吸込みの多層遠心ファンである。なお、本実施形態では、ファン軸心ＣＬの軸方向ＤＲａすなわち遠心ファン１２の軸方向ＤＲａをファン軸方向ＤＲａと呼び、ファン軸心ＣＬの径方向ＤＲｒすなわち遠心ファン１２の径方向ＤＲｒをファン径方向ＤＲｒと呼ぶものとする。また、ファン軸心ＣＬまわりの周方向すなわち遠心ファン１２の周方向をファン周方向と呼ぶものとする。
【００１８】
モータ２２は、遠心ファン１２を所定のファン回転方向ＲＴ（図３参照）へ回転させる駆動源である。モータ２２は、ファンケース１６に対して固定されたモータ本体２２１と、モータ本体２２１からファン軸方向ＤＲａの一方側へ突き出たモータ回転軸２２２とを有している。モータ２２に通電されると、モータ回転軸２２２とそのモータ回転軸２２２に対し相対回転不能に連結された遠心ファン１２とが共に、遠心ファン１２の回転方向であるファン回転方向ＲＴへ回転する。
【００１９】
遠心ファン１２は、ファン軸心ＣＬまわりに配設された複数枚の第１ブレード１２１と、ファン軸心ＣＬまわりに配設された複数枚の第２ブレード１２２と、分離板部１２３と、主板１２４と、側板１２５とを有している。これらの第１ブレード１２１、第２ブレード１２２、分離板部１２３、主板１２４、および側板１２５は一体構成になっているので、ファン軸心ＣＬまわりに一体となって回転する。
【００２０】
遠心ファン１２のうちで、複数枚の第１ブレード１２１は、その第１ブレード１２１によって送風する第１送風部１２ａを構成し、複数枚の第２ブレード１２２は、その第２ブレード１２２によって送風する第２送風部１２ｂを構成している。そして、複数枚の第２ブレード１２２は、複数枚の第１ブレード１２１に対しファン軸方向ＤＲａの一方側に並んで位置している。すなわち、第２送風部１２ｂは、第１送風部１２ａに対しファン軸方向ＤＲａの一方側に積層配置されている。
【００２１】
また、複数枚の第１ブレード１２１はそれぞれ、ファン軸方向ＤＲａの一方側の端である一方端１２１ａと、ファン軸方向ＤＲａの一方側とは反対側すなわち他方側の端である他方端１２１ｂとを有している。また、これと同様に、複数枚の第２ブレード１２２はそれぞれ、ファン軸方向ＤＲａの一方側の端である一方端１２２ａと、ファン軸方向ＤＲａの他方側の端である他方端１２２ｂとを有している。
【００２２】
遠心ファン１２の主板１２４は、ファン径方向ＤＲｒへ拡がる円盤状を成している。主板１２４の中心部にはモータ回転軸２２２が連結されている。また、主板１２４のうち、モータ回転軸２２２の連結部分よりもファン径方向ＤＲｒの外側では、主板１２４に対し第１ブレード１２１の他方端１２１ｂが固定されている。
【００２３】
このように第１および第２ブレード１２１、１２２が設けられているので、遠心ファン１２は、ファン軸心ＣＬまわりに回転することにより、ファン軸方向ＤＲａの一方側から空気を吸い込むと共に、その吸い込んだ空気を径方向外側へ吹き出す。詳細には、遠心ファン１２は、ファン軸心ＣＬまわりに回転することにより、ファン軸方向ＤＲａの一方側から複数枚の第１ブレード１２１の相互間と複数枚の第２ブレード１２２の相互間とにそれぞれ空気を吸い込む。それと共に、遠心ファン１２は、複数枚の第１ブレード１２１の相互間に吸い込まれた空気を径方向外側へ吹き出し、複数枚の第２ブレード１２２の相互間に吸い込まれた空気を径方向外側へ吹き出す。
【００２４】
なお、複数枚の第１ブレード１２１の相互間に空気が吸い込まれることとは、言い換えれば、第１送風部１２ａに空気が吸い込まれることである。これと同様に、複数枚の第２ブレード１２２の相互間に空気が吸い込まれることとは、言い換えれば、第２送風部１２ｂに空気が吸い込まれることである。また、複数枚の第１ブレード１２１の相互間に吸い込まれた空気が径方向外側へ吹き出されることとは、言い換えれば、第１送風部１２ａに吸い込まれた空気がその第１送風部１２ａの径方向外側へ吹き出されることである。これと同様に、複数枚の第２ブレード１２２の相互間に吸い込まれた空気が径方向外側へ吹き出されることとは、言い換えれば、第２送風部１２ｂに吸い込まれた空気がその第２送風部１２ｂの径方向外側へ吹き出されることである。
【００２５】
遠心ファン１２の分離板部１２３は、ファン軸心ＣＬまわりに円環状を成すと共に、ファン径方向ＤＲｒに拡がる板状を成している。そして、分離板部１２３は、ファン軸方向ＤＲａにおいて、複数枚の第１ブレード１２１と複数枚の第２ブレード１２２との間に配置されている。従って、分離板部１２３には、第１ブレード１２１の一方端１２１ａと、第２ブレード１２２の他方端１２２ｂとがそれぞれ固定されている。すなわち、第１ブレード１２１の一方端１２１ａは、分離板部１２３に対して接続された接続端になっており、第２ブレード１２２の他方端１２２ｂも、分離板部１２３に対して接続された接続端になっている。
【００２６】
詳細には、分離板部１２３は、ファン径方向ＤＲｒにおいて、第１ブレード１２１の一方端１２１ａと第２ブレード１２２の他方端１２２ｂとがそれぞれの全長にわたって連結する径方向幅を有している。本実施形態では、第１ブレード１２１の一方端１２１ａの全長の方が第２ブレード１２２の他方端１２２ｂの全長よりも長くなっている。そのため、ファン径方向ＤＲｒにおいて分離板部１２３は、第１ブレード１２１の一方端１２１ａの全長に亘るように拡がっている。そして、分離板部１２３は、第２ブレード１２２に対しファン径方向ＤＲｒの内側に張り出すと共に外側にも張り出している。
【００２７】
このような構成から、分離板部１２３は、複数枚の第１ブレード１２１の相互間に流れている空気と、複数枚の第２ブレード１２２の相互間に流れている空気とを分離して、それらの空気の混合を防止する。なお、複数枚の第１ブレード１２１の相互間に流れている空気とは、別言すれば第１送風部１２ａ内の空気である。そして、複数枚の第２ブレード１２２の相互間に流れている空気とは、別言すれば第２送風部１２ｂ内の空気である。
【００２８】
遠心ファン１２の側板１２５は、ファン軸心ＣＬまわりに円環状を成している。側板１２５には、複数枚の第２ブレード１２２が、一方端１２２ａおよびその近傍部分にてそれぞれ連結されている。
【００２９】
また、複数枚の第１ブレード１２１は、その複数枚の第１ブレード１２１の相互間における空気流れの上流側の端に位置する第１翼前縁１２１ｃをそれぞれ有している。そして、複数枚の第１ブレード１２１は、その複数枚の第１ブレード１２１の相互間における空気流れの下流側の端に位置する第１翼後縁１２１ｄとをそれぞれ有している。すなわち、その第１翼前縁１２１ｃは、第１ブレード１２１の相互間に形成された空気通路の入口の一部を構成するものであり、第１翼後縁１２１ｄは、その空気通路の出口の一部を構成するものである。
【００３０】
これと同様に、複数枚の第２ブレード１２２は、その複数枚の第２ブレード１２２の相互間における空気流れの上流側の端に位置する第２翼前縁１２２ｃを有している。そして、複数枚の第２ブレード１２２は、その複数枚の第２ブレード１２２の相互間における空気流れの下流側の端に位置する第２翼後縁１２２ｄを有している。すなわち、その第２翼前縁１２２ｃは、第２ブレード１２２の相互間に形成された空気通路の入口の一部を構成するものであり、第２翼後縁１２２ｄは、その空気通路の出口の一部を構成するものである。そのため、例えば第２ブレード１２２の相互間に形成された空気通路の出口は、側板１２５に対するファン軸方向ＤＲａの他方側に形成されるので、第２翼後縁１２２ｄも、側板１２５に対するファン軸方向ＤＲａの他方側に形成される。
【００３１】
隔壁筒部１４は、ファン軸方向ＤＲａを向いた筒状を成しており、ファン軸方向ＤＲａの他方側ほど拡径している。具体的には、隔壁筒部１４は、筒状部１４１と、その筒状部１４１と一体に構成された拡径部１４２とを有している。そして、隔壁筒部１４は、ファン径方向ＤＲｒにおいて複数枚の第２ブレード１２２に対する内側、すなわち第２送風部１２ｂに対する内側に設けられている。
【００３２】
隔壁筒部１４の筒状部１４１は、ファン軸方向ＤＲａを向いた筒状を成している。詳細には、その筒状部１４１は、ファン軸心ＣＬを中心とした円筒形状を成し、ファン軸方向ＤＲａへ延びるように形成されている。
【００３３】
隔壁筒部１４の拡径部１４２は、筒状部１４１からファン軸方向ＤＲａの他方側へ延設され、ファン軸方向ＤＲａの他方側ほど拡径している。詳細には、その拡径部１４２は、ファン軸方向ＤＲａの他方側ほど拡径しつつ、ファン軸方向ＤＲａにおける拡径部１４２の他方側がファン径方向ＤＲｒの外側へ延びるように形成されている。
【００３４】
そして、筒状部１４１に対するファン径方向ＤＲｒの内側を通った空気は複数枚の第１ブレード１２１の相互間へ吸い込まれる。その一方で、筒状部１４１に対するファン径方向ＤＲｒの外側を通った空気は複数枚の第２ブレード１２２の相互間へ吸い込まれる。すなわち、隔壁筒部１４は、複数枚の第１ブレード１２１の相互間へ吸い込まれる空気と複数枚の第２ブレード１２２の相互間へ吸い込まれる空気とを、それらのブレード１２１、１２２に対する空気流れ上流側にて隔てるものである。
【００３５】
また、本実施形態の隔壁筒部１４は、遠心ファン１２の分離板部１２３から径方向内側へ連続するように形成され、遠心ファン１２と一体構成になっている。そのため、隔壁筒部１４は遠心ファン１２と共に回転する。そして、分離板部１２３は、その分離板部１２３に対するファン径方向ＤＲｒの内側にて隔壁筒部１４の拡径部１４２に連結している。詳細には、隔壁筒部１４の拡径部１４２は、分離板部１２３からファン径方向ＤＲｒの内側へ延設されて形成されている。
【００３６】
見方を変えれば、遠心ファン１２は、拡径部１４２を、分離板部１２３からファン径方向ＤＲｒの内側へ延設されて形成された内側延設部１２６として有している。すなわち、隔壁筒部１４は、遠心ファン１２の一部分である内側延設部１２６を含んで構成されている。そして、その内側延設部１２６は、複数枚の第１ブレード１２１と複数枚の第２ブレード１２２との何れに対してもファン径方向ＤＲｒの内側に設けられている。詳細には、内側延設部１２６は、第１ブレード１２１の一方端１２１ａと第２ブレード１２２の他方端１２２ｂとの何れに対してもファン径方向ＤＲｒの内側に設けられている。
【００３７】
ファンケース１６は、回転しない非回転部材であって、遠心ファン１２を収容する筐体である。そして、ファンケース１６は、遠心ファン１２が吸い込む空気が通るケース吸込口１６ａが形成された吸込部としてのベルマウス部１６１を有している。そのベルマウス部１６１は、ファンケース１６のうちケース吸込口１６ａの周縁部分を構成し、ファンケース１６外の空気がケース吸込口１６ａ内へ円滑に流れるように円弧状断面を有して構成されている。
【００３８】
ケース吸込口１６ａは、遠心ファン１２に対しファン軸方向ＤＲａの一方側に設けられ、ファン軸方向ＤＲａの一方側を向いて開口している。
【００３９】
また、ファン径方向ＤＲｒにおいてベルマウス部１６１の内側には、隔壁筒部１４の筒状部１４１が配置されている。そのため、ケース吸込口１６ａのうち、筒状部１４１に対するファン径方向ＤＲｒの内側は第１吸込口１６ｂとなっており、筒状部１４１に対するファン径方向ＤＲｒの外側は第２吸込口１６ｃとなっている。そのため、第２吸込口１６ｃは、第１吸込口１６ｂの外周側を取り巻くように形成された円環状の開口となっている。
【００４０】
また、第１吸込口１６ｂからファンケース１６内へ吸い込まれた空気は、隔壁筒部１４の筒状部１４１の径方向内側を通って第１送風部１２ａへと吸い込まれる。その一方で、第２吸込口１６ｃからファンケース１６内へ吸い込まれた空気は、隔壁筒部１４の筒状部１４１の径方向外側を通って第２送風部１２ｂへと吸い込まれる。
【００４１】
また、ファンケース１６はファン周囲部１６２を有し、そのファン周囲部１６２には、遠心ファン１２の径方向外側にてその遠心ファン１２を取り囲むファン周囲空間１６２ａが形成されている。そのファン周囲空間１６２ａには、遠心ファン１２から吹き出された空気が流入する。
【００４２】
また、ファン周囲空間１６２ａ内には、ファン軸方向ＤＲａを厚み方向とした板状の仕切板１８が配置されている。この仕切板１８は、遠心ファン１２との間に僅かな隙間を形成しつつ遠心ファン１２の径方向外側に設けられ、遠心ファン１２の外周に沿って延びる環形状を成している。そして、仕切板１８は、その仕切板１８の径方向外側端にて、ファン周囲部１６２に固定されている。
【００４３】
このように配置された仕切板１８は、ファン周囲空間１６２ａを、第１吹出通路１６２ｂと、その第１吹出通路１６２ｂに対しファン軸方向ＤＲａの一方側に配置された第２吹出通路１６２ｃとに仕切り分けている。
【００４４】
その第１吹出通路１６２ｂには、複数枚の第１ブレード１２１の相互間から吹き出された空気、すなわち第１送風部１２ａから径方向外側に吹き出された第１の吹出空気が流入する。それと共に、第２吹出通路１６２ｃには、複数枚の第２ブレード１２２の相互間から吹き出された空気、すなわち第２送風部１２ｂから径方向外側に吹き出された第２の吹出空気が流入する。
【００４５】
そして、仕切板１８は、上記第１の吹出空気が第２吹出通路１６２ｃへ流れることを防止し且つ上記第２の吹出空気が第１吹出通路１６２ｂへ流れることを防止するように配置されている。具体的には、仕切板１８の径方向内側端１８ａの位置が、ファン軸方向ＤＲａにおいて、遠心ファン１２の分離板部１２３の径方向外側端１２３ａの位置に揃っている。なお、第１の吹出空気が第２吹出通路１６２ｃへ流れることの防止は、その流れを防止していればよく、第１の吹出空気が第２吹出通路１６２ｃへ流れることを完全に阻止することでなくてもよい。このことは、第２の吹出空気が第１吹出通路１６２ｂへ流れることの防止についても同様である。
【００４６】
また、第１吹出通路１６２ｂは、第１送風部１２ａから吹き出された空気をファン周方向へ流しつつ送風機１０の外へ流出させるスクロール通路となっている。これと同様に、第２吹出通路１６２ｃも、第２送風部１２ｂからから吹き出された空気をファン周方向へ流しつつ送風機１０の外へ流出させるスクロール通路となっている。この第１吹出通路１６２ｂから流出した空気と第２吹出通路１６２ｃから流出した空気は、送風機１０の外でも、例えば互いに分け隔てられた別々の空気通路へと流れる。
【００４７】
ファンケース１６に対するファン軸方向ＤＲａの一方側には、送風機１０へ空気を導くためのダクト２４が設けられ、そのダクト２４は、ファンケース１６に対しファン軸方向ＤＲａの一方側から連結されている。そのダクト２４の内側には、ケース吸込口１６ａへ空気を導く上流側通風路２４ａが形成されている。その上流側通風路２４ａは、第１吸込口１６ｂと第２吸込口１６ｃとに対する空気流れ上流側に設けられ、その第１吸込口１６ｂと第２吸込口１６ｃとにそれぞれ連結されている。
【００４８】
また、上流側通風路２４ａには、フィルタ２６と上流側隔壁部２０とフィルタ前隔壁部２８とが配置されている。その上流側隔壁部２０は、隔壁筒部１４とは別部材であり、例えばダクト２４またはファンケース１６に対して固定されている。すなわち、上流側隔壁部２０は非回転部材である。
【００４９】
上流側隔壁部２０は、隔壁筒部１４の筒状部１４１に対しファン軸方向ＤＲａの一方側に設けられ、その筒状部１４１に対してファン軸方向ＤＲａに直列に並ぶ筒状を成している。例えば本実施形態の上流側隔壁部２０は、隔壁筒部１４の筒状部１４１と同じ中心位置で同径の円筒状を成している。このような配置および形状により、上流側隔壁部２０は、筒状部１４１の径方向内側へ流れる空気と筒状部１４１の径方向外側へ流れる空気とを、その筒状部１４１に対する空気流れ上流側で隔てる。
【００５０】
そして、上流側隔壁部２０は上記のように非回転部材である一方で、隔壁筒部１４は遠心ファン１２と共に回転するので、上流側隔壁部２０は、隔壁筒部１４の筒状部１４１に対し干渉しなように、その筒状部１４１との間に僅かな隙間を形成している。その隔壁筒部１４と筒状部１４１との間の隙間は、その隙間にて上流側隔壁部２０の径方向内側の空気と径方向外側の空気とが混ざること防止するように小さく形成されている。
【００５１】
フィルタ２６は、例えばダクト２４に対して固定された非回転部材であり、フィルタ２６を通過する空気を濾過してから空気流れ下流側へと流す。例えば、フィルタ２６は、不織布などを主要な構成要素として備えている。
【００５２】
そして、フィルタ２６は、上流側隔壁部２０に対するファン軸方向ＤＲａの一方側に設けられている。すなわち、フィルタ２６は、上流側隔壁部２０に対し空気流れ上流側に設けられているので、遠心ファン１２へ向かう空気を濾過する。詳細に言えば、フィルタ２６は、遠心ファン１２の第１送風部１２ａへ向かう空気と第２送風部１２ｂへ向かう空気とをそれぞれ濾過する。
【００５３】
また、上流側隔壁部２０は、ファン軸方向ＤＲａに沿ってフィルタ２６にまで延びている。その上流側隔壁部２０がフィルタ２６にまで延びていることは、上流側隔壁部２０が、そのフィルタ２６に接触するまで延びていることであってもよいし、フィルタ２６に対し僅かな隙間を形成しそのフィルタ２６の間際にまで延びていることであってもよい。
【００５４】
フィルタ前隔壁部２８は、ダクト２４内においてフィルタ２６に対しファン軸方向ＤＲａの一方側に設けられ、上流側隔壁部２０に対してフィルタ２６を挟んでファン軸方向ＤＲａに直列に並ぶ筒状を成している。本実施形態では、フィルタ前隔壁部２８は、上流側隔壁部２０と同じ中心位置で同径の円筒状を成している。
【００５５】
そして、ファン軸方向ＤＲａにおけるフィルタ前隔壁部２８の他方側はフィルタ２６にまで延びている。そのため、フィルタ前隔壁部２８の径方向内側を流れる空気の大部分は、フィルタ２６を経て上流側隔壁部２０の径方向内側へ流れる。そして、フィルタ前隔壁部２８の径方向外側を流れる空気の大部分は、フィルタ２６を経て上流側隔壁部２０の径方向外側へ流れる。
【００５６】
図３および図４に示すように、第１ブレード１２１の翼型と第２ブレード１２２の翼型は互いに異なっている。具体的には、図２および図３に示すように、複数枚の第１ブレード１２１は、ファン径方向ＤＲｒの外側ほどファン回転方向ＲＴとは逆方向側に位置する後ろ向きブレードとして構成されている。すなわち、第１ブレード１２１の翼型としてはターボファンの翼型が採用され、第１送風部１２ａはターボファンとして構成されている。
【００５７】
一方、図２および図４に示すように、複数枚の第２ブレード１２２は、ファン径方向ＤＲｒの外側ほどファン回転方向ＲＴにおける順方向側に位置する前向きブレードとして構成されている。すなわち、第２ブレード１２２の翼型としてはシロッコファンの翼型が採用され、第２送風部１２ｂはシロッコファンとして構成されている。
【００５８】
また、図３および図４に示すように、第１ブレード１２１の枚数は、第２ブレード１２２の枚数に対し異なっている。具体的には、ファン軸心ＣＬを中心とした第１ブレード１２１相互間の角度ピッチは、ファン軸心ＣＬを中心とした第２ブレード１２２相互間の角度ピッチよりも大きくなっている。すなわち、第１ブレード１２１の枚数は、第２ブレード１２２の枚数よりも少ない。
【００５９】
また、第１ブレード１２１と第２ブレード１２２との翼形状の相違に言及すると、本実施形態では次のようなことが言える。すなわち、図１および図２に示すように、ファン軸心ＣＬを中心とした複数枚の第１ブレード１２１の内径寸法Ｄ１ｉは、複数枚の第２ブレード１２２の内径寸法Ｄ２ｉよりも小さい。その第１ブレード１２１の内径寸法Ｄ１ｉとは、詳しく言うと、ファン軸心ＣＬを中心とし且つ複数枚の第１ブレード１２１に対しその径方向内側にて接する仮想円筒面の直径である。別言すれば、その第１ブレード１２１の内径寸法Ｄ１ｉとは、ファン軸心ＣＬを中心とし且つ複数枚の第１ブレード１２１に対し内接する仮想円筒面の直径である。第２ブレード１２２の内径寸法Ｄ２ｉについても、これと同様に説明できる。
【００６０】
また、ファン軸心ＣＬを中心とした複数枚の第２ブレード１２２の外径寸法Ｄ２ｏは、複数枚の第１ブレード１２１の外径寸法Ｄ１ｏよりも小さい。その第１ブレード１２１の外径寸法Ｄ１ｏとは、詳しく言うと、ファン軸心ＣＬを中心とし且つ複数枚の第１ブレード１２１に対しその径方向外側にて接する仮想円筒面の直径である。別言すれば、その第１ブレード１２１の外径寸法Ｄ１ｏとは、ファン軸心ＣＬを中心とし且つ複数枚の第１ブレード１２１に対し外接する仮想円筒面の直径である。第２ブレード１２２の外径寸法Ｄ２ｏについても、これと同様に説明できる。
【００６１】
このような内径寸法Ｄ１ｉ、Ｄ２ｉの差および外径寸法Ｄ１ｏ、Ｄ２ｏの差から判るように、ファン径方向ＤＲｒにおける複数枚の第１ブレード１２１の翼長さＬ１ｒは、ファン径方向ＤＲｒにおける複数枚の第２ブレード１２２の翼長さＬ２ｒに比して長い。その第１ブレード１２１の翼長さＬ１ｒとは、詳しく言えば、ファン径方向ＤＲｒにおいて第１ブレード１２１が占める径方向幅であり、第２ブレード１２２の翼長さＬ２ｒとは、ファン径方向ＤＲｒにおいて第２ブレード１２２が占める径方向幅である。従って、第１ブレード１２１の翼長さＬ１ｒは、図１および図２に示すように、「Ｌ１ｒ＝（Ｄ１ｏ−Ｄ１ｉ）／２」という式から得られる。また、第２ブレード１２２の翼長さＬ２ｒは、「Ｌ２ｒ＝（Ｄ２ｏ−Ｄ２ｉ）／２」という式から得られる。
【００６２】
また、図２に示すように、ファン軸方向ＤＲａにおいて、第１翼前縁１２１ｃの高さＨＦ１は第２翼前縁１２２ｃの高さＨＦ２よりも小さい。それと共に、ファン軸方向ＤＲａにおいて、第１翼後縁１２１ｄの高さＨＢ１は第２翼後縁１２２ｄの高さＨＢ２よりも小さい。要するに、第１ブレード１２１は、第２ブレード１２２と比較して、ファン径方向ＤＲｒに長く且つファン軸方向ＤＲａには短い翼形状を成している。第１ブレード１２１と第２ブレード１２２との翼形状の相違については、以上のようなことが言える。
【００６３】
次に、送風機１０内の空気流れについてその概略を説明する。遠心ファン１２がモータ２２によってファン回転方向ＲＴに回転させられると、フィルタ２６を通過して上流側隔壁部２０の径方向内側に流入した空気が第１吹出通路１６２ｂへと流れる第１空気流れが生じる。それと同時に、フィルタ２６を通過して上流側隔壁部２０の径方向外側に流入した空気が第２吹出通路１６２ｃへと流れる第２空気流れも生じる。
【００６４】
その第１空気流れでは、詳細には、上流側隔壁部２０の径方向内側の空気が、隔壁筒部１４の筒状部１４１の径方向内側を通ってから拡径部１４２に沿ってファン径方向ＤＲｒの外側向きに曲がって流れる。そして、その外側向きに流れる空気は、第１送風部１２ａに吸い込まれ、その第１送風部１２ａから第１吹出通路１６２ｂへと吹き出される。
【００６５】
また、上記の第２空気流れでは、詳細には、上流側隔壁部２０の径方向外側の空気が、隔壁筒部１４の筒状部１４１の径方向外側を通ってから拡径部１４２に沿ってファン径方向ＤＲｒの外側向きに曲がって流れる。そして、その外側向きに流れる空気は、第２送風部１２ｂに吸い込まれ、その第２送風部１２ｂから第２吹出通路１６２ｃへと吹き出される。
【００６６】
上述したように、本実施形態によれば、図１および図２に示すように、ファン径方向ＤＲｒにおける複数枚の第１ブレード１２１の翼長さＬ１ｒは、ファン径方向ＤＲｒにおける複数枚の第２ブレード１２２の翼長さＬ２ｒに比して長い。そして、複数枚の第１ブレード１２１の相互間へ吸い込まれる空気は隔壁筒部１４に対するファン径方向ＤＲｒの内側を通り、複数枚の第２ブレード１２２の相互間へ吸い込まれる空気は隔壁筒部１４に対するファン径方向ＤＲｒの外側を通る。
【００６７】
そのため、それらの空気の流通場所の違いを利用して第１ブレード１２１の翼長さＬ１ｒを長くすることが可能である。そして、同程度のファン性能を得ることを前提とすれば、その第１ブレード１２１の翼長さＬ１ｒを長くすることに応じて、第１ブレード１２１をファン軸方向ＤＲａに小さくすることが可能である。従って、送風機１０のファン性能を損なわないようにしつつ、その送風機１０の小型化を図ることが可能である。言い換えれば、送風機１０の小型化と高性能化との両立が可能である。
【００６８】
また、本実施形態によれば、ファン軸心ＣＬを中心とした複数枚の第１ブレード１２１の内径寸法Ｄ１ｉは、複数枚の第２ブレード１２２の内径寸法Ｄ２ｉよりも小さい。そして、第１ブレード１２１の相互間へ吸い込まれる空気は、第２ブレード１２２の相互間へ吸い込まれる空気に対し、ファン径方向ＤＲｒにおいて隔壁筒部１４の筒状部１４１を境に内側を流れる。
【００６９】
従って、それらの空気の流通場所の違いを利用して第１ブレード１２１の翼長さＬ１ｒを長くし、その分、遠心ファン１２の体格拡大を伴わずにファン軸方向ＤＲａにおける第１ブレード１２１の翼高さを低減することが可能である。要するに、送風機１０の小型化に寄与できる。
【００７０】
また、見方を変えれば、第１ブレード１２１の内径寸法Ｄ１ｉが第２ブレード１２２の内径寸法Ｄ２ｉよりも小さいことは、第２吸込口１６ｃの開口面積を十分に確保する上で有利である。すなわち、第２ブレード１２２の内径寸法Ｄ２ｉを大きくすることで、筒状部１４１の径方向外側に、第２ブレード１２２の相互間へ流入する空気が通る流路の流路面積を十分に稼ぐことが可能である。その結果として、遠心ファン１２の性能向上を果たすことが可能である。
【００７１】
また、本実施形態によれば、ファン軸心ＣＬを中心とした複数枚の第２ブレード１２２の外径寸法Ｄ２ｏは、複数枚の第１ブレード１２１の外径寸法Ｄ１ｏよりも小さい。従って、仕切板１８と遠心ファン１２の分離板部１２３との間の隙間を通る空気の流通を妨げる構造を、仕切板１８と第２ブレード１２２との干渉を避けて設けることが容易である。
【００７２】
また、第１ブレード１２１の内径寸法Ｄ１ｉをあまり小さくせずに、第１送風部１２ａを、ファン外径に対するファンの翼車高さの割合が小さい扁平形状にし易くなる。そのため、拡径部１４２がファン径方向ＤＲｒに占める幅を十分に確保し、隔壁筒部１４の拡径部１４２周りでファン軸方向ＤＲａ向きの空気をファン径方向ＤＲｒの外側向きに円滑に転向させることができる。従って、第１ブレード１２１の内径寸法Ｄ１ｉを小さくすることに起因したファン性能の低下を防止しつつ、ファン軸方向ＤＲａにおける遠心ファン１２の小型化を図ることが可能である。
【００７３】
また、本実施形態によれば、遠心ファン１２は、複数枚の第１ブレード１２１と複数枚の第２ブレード１２２との間に設けられた分離板部１２３を有している。そして、その分離板部１２３は、ファン径方向ＤＲｒに拡がる板状を成し、且つ、複数枚の第１ブレード１２１の相互間に流れている空気と複数枚の第２ブレード１２２の相互間に流れている空気とを分離する。これにより、その分離板部１２３によって第１ブレード１２１の相互間の空気と第２ブレード１２２の相互間の空気との混合を防止できるので、遠心ファン１２が流す複数の空気流れの分離性を良好に確保できる。
【００７４】
また、そのように互いの空気の混合が防止されれば、その空気の混合に伴って生じる空気流れの乱れも防止されるので、そのような空気流れの乱れに起因したファン性能低下を回避することが可能である。更に言えば、そのようにファン性能低下を回避することは、遠心ファン１２の小型化につながる。
【００７５】
また、遠心ファン１２の内側延設部１２６は、分離板部１２３からファン径方向ＤＲｒの内側へ延設されて形成されている。そして、その内側延設部１２６は、分離板部１２３に対して接続された第１ブレード１２１の一方端１２１ａと第２ブレード１２２の他方端１２２ｂとの何れに対してもファン径方向ＤＲｒの内側に設けられている。そのため、内側延設部１２６は、第１ブレード１２１の相互間へ向かう空気と第２ブレード１２２の相互間へ向かう空気とを分離し且つ或る程度整流しつつ第１ブレード１２１の相互間と第２ブレード１２２の相互間との各々へ吸い込ませる役割を果たす。
【００７６】
従って、第１ブレード１２１の相互間へ向かう空気流れと第２ブレード１２２の相互間へ向かう空気流れとの混ざり合いを第１および第２ブレード１２１、１２２に対する空気流れ上流側で防止することができる。これにより、送風機１０のファン性能の低下を抑制することが可能である。
【００７７】
また、本実施形態によれば、隔壁筒部１４は内側延設部１２６を含んで構成され、遠心ファン１２と共に回転する。つまり、分離板部１２３は、その分離板部１２３に対するファン径方向ＤＲｒの内側にて隔壁筒部１４に連結している。従って、隔壁筒部１４の径方向内側に流れる空気と径方向外側に流れる空気とを完全分離したまま円滑に、第１送風部１２ａと第２送風部１２ｂとへそれぞれ導くことが可能である。そのため、分離板部１２３が隔壁筒部１４の拡径部１４２に対して分離している場合に分離板部１２３と拡径部１４２との間の隙間が原因で生じ得る渦の発生を回避することができる。すなわち、そのような渦が複数枚の第１ブレード１２１の相互間および複数枚の第２ブレード１２２の相互間へ吸い込まれることに起因したファン性能の低下を回避することが可能である。
【００７８】
ここで、比較例の送風機９０を示した図５を用いて、本実施形態の送風機１０が有するメリットについて説明する。その比較例の送風機９０では、図５に示すように、遠心ファン１２は分離板部１２３を有しておらず、隔壁筒部１４は、遠心ファン１２に対し別部材として構成され、回転しない非回転部材となっている。そのため、隔壁筒部１４の拡径部１４２と遠心ファン１２との間には、遠心ファン１２回転時の干渉を避けるために隙間が形成されている。これらの点を除き、比較例の送風機９０は本実施形態の送風機１０と同様である。
【００７９】
上記したように、比較例の送風機９０では、隔壁筒部１４の拡径部１４２と遠心ファン１２との間に隙間があるので、図５のＡ１部分においてその隙間を通じた空気の混ざり合いによる空気流れ分離性の低下が生じる。そして、その隙間を形成する拡径部１４２の端から渦が発生し、その渦が各送風部１２ａ、１２ｂへ吸い込まれるので、ファン性能の低下も生じる。
【００８０】
更に、比較例の送風機９０では、分離板部１２３が無いので、図５のＡ２部分において第１送風部１２ａ内の空気と第２送風部１２ｂ内の空気とが混ざり合い、ここでも空気流れ分離性の低下が生じる。
【００８１】
これに対し、本実施形態の送風機１０では、図１に示すように分離板部１２３が設けられ、その分離板部１２３は隔壁筒部１４に隙間無く連結されている。そのため、比較例の送風機９０で生じる上記の空気流れ分離性の低下およびファン性能の低下を解消することができるというメリットを、本実施形態の送風機１０は有している。
【００８２】
また、本実施形態によれば、図３および図４に示すように、第１ブレード１２１の枚数は、第２ブレード１２２の枚数に対し異なっている。従って、第１ブレード１２１を第２ブレード１２２に対しファン軸方向ＤＲａに連続する翼形状とする必要がなく、第１ブレード１２１と第２ブレード１２２とを各々独自の翼形状とすることができる。例えば、第１ブレード１２１と第２ブレード１２２とを各々の翼長さＬ１ｒ、Ｌ２ｒに適した翼形状とすることが可能である。
【００８３】
また、本実施形態によれば、図３に示すように、複数枚の第１ブレード１２１は、ファン径方向ＤＲｒの外側ほどファン回転方向ＲＴとは逆方向側に位置する後ろ向きブレードとして構成されている。このような後ろ向きブレードのファンは、ファン外径に対するファンの翼車高さの割合が小さい扁平形状にすることに適している。従って、第１ブレード１２１の翼型を、第１ブレード１２１の内径寸法Ｄ１ｉを小さくすると共に第１ブレード１２１の翼長さＬ１ｒを長くすることに有利な翼型にすることが可能である。
【００８４】
また、本実施形態によれば、図４に示すように、複数枚の第２ブレード１２２は、ファン径方向ＤＲｒの外側ほどファン回転方向ＲＴにおける順方向側に位置する前向きブレードとして構成されている。このような前向きブレードのファンは、後ろ向きブレードのファンと比較して、ファン内径を大きくすることに適している。従って、第２ブレード１２２の翼型を、第２ブレード１２２の相互間へ流入する空気が通る流路の流路面積を十分に確保することに有利な翼型にすることが可能である。要するに、第２ブレード１２２の翼型を、第２吸込口１６ｃの開口面積を十分に確保する上で有利な翼型にすることが可能である。
【００８５】
また、本実施形態によれば、図１および図２に示すように、ファン軸方向ＤＲａにおいて、第１翼後縁１２１ｄの高さＨＢ１は第２翼後縁１２２ｄの高さＨＢ２よりも小さい。従って、複数枚の第２ブレード１２２の相互間から吹き出される空気の流路面積を十分に確保しつつ、複数枚の第１ブレード１２１がファン軸方向ＤＲａに占めるスペースを小さくすることが可能である。
【００８６】
また、本実施形態によれば、ファン軸方向ＤＲａにおいて、第１翼前縁１２１ｃの高さＨＦ１は第２翼前縁１２２ｃの高さＨＦ２よりも小さい。従って、複数枚の第２ブレード１２２の相互間へ流入する空気の流路面積を十分に確保しつつ、第１ブレード１２１がファン軸方向ＤＲａに占めるスペースを小さくすることが可能である。
【００８７】
また、本実施形態によれば、仕切板１８は、遠心ファン１２から空気が流入するファン周囲空間１６２ａを、第１吹出通路１６２ｂと、その第１吹出通路１６２ｂに対しファン軸方向ＤＲａの一方側に配置された第２吹出通路１６２ｃとに仕切り分けている。そして、第１吹出通路１６２ｂには、複数枚の第１ブレード１２１の相互間から吹き出された第１の吹出空気が流入する。それと共に、第２吹出通路１６２ｃには、複数枚の第２ブレード１２２の相互間から吹き出された第２の吹出空気が流入する。また、仕切板１８は、その第１の吹出空気が第２吹出通路１６２ｃへ流れることを防止し且つ第２の吹出空気が第１吹出通路１６２ｂへ流れることを防止するように配置されている。
【００８８】
従って、隔壁筒部１４によって互いに分けられて遠心ファン１２に吸い込まれた空気を、その分けられた空気同士の混合を防止したまま、第１および第２吹出通路１６２ｂ、１６２ｃのそれぞれから送風機１０の外へ流すことが可能である。
【００８９】
また、本実施形態によれば、上流側隔壁部２０は、隔壁筒部１４とは別部材として筒状部１４１に対しファン軸方向ＤＲａの一方側に設けられ、その筒状部１４１に対してファン軸方向ＤＲａに直列に並ぶ筒状を成している。そして、上流側隔壁部２０は、筒状部１４１の内側へ流れる空気とその筒状部１４１の外側へ流れる空気とを、筒状部１４１に対する空気流れ上流側で隔てる。また、遠心ファン１２へ向かう空気を濾過するフィルタ２６が、上流側隔壁部２０に対するファン軸方向ＤＲａの一方側に設けられ、上流側隔壁部２０は、そのフィルタ２６にまで延びている。従って、筒状部１４１の内側へ流れる空気とその筒状部１４１の外側へ流れる空気とがフィルタ２６と隔壁筒部１４との間で混ざり合うことを防止しつつ、フィルタ２６の形状および配置に影響されることなく隔壁筒部１４を設けることができる。
【００９０】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の実施形態の説明においても同様である。
【００９１】
図６に示すように、本実施形態では、隔壁筒部１４は、遠心ファン１２に対し別部材として構成されている。すなわち、本実施形態の隔壁筒部１４は、遠心ファン１２の内側延設部１２６を含んでいない。具体的には、隔壁筒部１４は、その隔壁筒部１４の拡径部１４２が遠心ファン１２の内側延設部１２６に対しファン径方向ＤＲｒの内側に位置するように配置されている。そして、隔壁筒部１４は、回転しない非回転部材である。
【００９２】
また、本実施形態では、上流側隔壁部２０（図１参照）は設けられていない。その替わりに、隔壁筒部１４は、その隔壁筒部１４に対するファン軸方向ＤＲａの一方側に設けられたフィルタ２６にまで延びている。詳しく言えば、隔壁筒部１４の筒状部１４１が、その筒状部１４１に対するファン軸方向ＤＲａの一方側に設けられたフィルタ２６にまで延びている。この筒状部１４１とフィルタ２６との配置関係は、第１実施形態における上流側隔壁部２０とフィルタ２６との配置関係と同様である。
【００９３】
また、本実施形態の隔壁筒部１４は上記のように非回転部材である一方で、遠心ファン１２は回転するので、隔壁筒部１４は、遠心ファン１２に対し干渉しなように、その遠心ファン１２との間に僅かな隙間を形成している。
【００９４】
そして、隔壁筒部１４は、複数枚の第１ブレード１２１の相互間へ吸い込まれる空気と、複数枚の第２ブレード１２２の相互間へ吸い込まれる空気とを、遠心ファン１２の内側延設部１２６に対する空気流れ上流側で隔てる。別言すれば、隔壁筒部１４の拡径部１４２に沿って第１送風部１２ａに吸い込まれる空気と第２送風部１２ｂに吸い込まれる空気とが、その吸い込まれる前に混ざり合うことが防止されるように、隔壁筒部１４は、遠心ファン１２に対して配置されている。
【００９５】
例えば、隔壁筒部１４の拡径部１４２は、遠心ファン１２の内側延設部１２６に対して僅かな隙間を形成している。そして、隔壁筒部１４は、その内側延設部１２６と拡径部１４２との間の僅かな隙間が仮に無いとすれば、内側延設部１２６から拡径部１４２に亘って連続した板形状が形成されるように配置されている。なお、隔壁筒部１４の拡径部１４２と遠心ファン１２の内側延設部１２６との間の僅かな隙間を介した空気の流通は少ないほど良いが、完全に阻止されなくても差し支えない。
【００９６】
以上説明したことを除き、本実施形態は第１実施形態と同様である。そして、本実施形態では、前述の第１実施形態と共通の構成から奏される効果を第１実施形態と同様に得ることができる。
【００９７】
また、本実施形態によれば、遠心ファン１２の内側延設部１２６は隔壁筒部１４には含まれないが、第１実施形態と同様に、内側延設部１２６は、分離板部１２３からファン径方向ＤＲｒの内側へ延設されて形成されている。そして、その内側延設部１２６は、第１ブレード１２１の一方端１２１ａと第２ブレード１２２の他方端１２２ｂとの何れに対してもファン径方向ＤＲｒの内側に設けられている。
【００９８】
ここで、隔壁筒部１４で分離されていた空気同士が拡径部１４２と内側延設部１２６との間の隙間を通じて混合し、それに起因して空気流れに乱れが生じる場合が想定される。この場合、その乱れを生じて各送風部１２ａ、１２ｂへ向かうそれぞれの空気流れが内側延設部１２６によって或る程度整流されてから、第１ブレード１２１の相互間と第２ブレード１２２の相互間とへそれぞれ吸い込まれることになる。その結果として、各ブレード１２１、１２２に対する空気流れ上流側で分離されていた空気同士の混合に起因したファン性能の低下を抑制することが可能である。
【００９９】
また、本実施形態によれば、隔壁筒部１４は、遠心ファン１２に対し別部材として構成されており、回転しない非回転部材である。従って、隔壁筒部１４が例えば遠心ファン１２と一体構成である場合と比較して、遠心ファン１２の構造を簡素化しやすく、送風機１０の生産性の向上を図ることが可能である。
【０１００】
また、本実施形態によれば、フィルタ２６が、隔壁筒部１４に対するファン軸方向ＤＲａの一方側に設けられ、その隔壁筒部１４は、フィルタ２６にまで延びている。従って、フィルタ２６と隔壁筒部１４との間に介在物を設けることなく、筒状部１４１の径方向内側へ向かう空気と筒状部１４１の径方向外側へ向かう空気とがフィルタ２６の空気流れ下流側で混ざり合うことを防止することが可能である。
【０１０１】
（他の実施形態）
（１）上述の各実施形態では図１等に示すように、遠心ファン１２は複数枚の第１ブレード１２１と複数枚の第２ブレード１２２とを有しているが、これは一例である。例えば、遠心ファン１２は、それらのブレード１２１、１２２に加え更に、それらのブレード１２１、１２２に対しファン軸方向ＤＲａに並んで位置する複数枚の第３ブレード、および複数枚の第４ブレードなどを備えていても差し支えない。要するに、遠心ファン１２は、複数枚のブレードからなる送風部を複数有し、その複数の送風部がファン軸方向ＤＲａに並んで位置していてもよい。
【０１０２】
（２）上述の各実施形態では図３に示すように、第１ブレード１２１の翼型としてはターボファンの翼型が採用されているが、これは一例である。例えば、遠心式のファン翼型であれば、ターボファンの翼型以外の翼型が第１ブレード１２１の翼型として採用されることも想定できる。
【０１０３】
（３）上述の各実施形態では図４に示すように、第２ブレード１２２の翼型としてはシロッコファンの翼型が採用されているが、これは一例である。例えば、遠心式のファン翼型であれば、シロッコファンの翼型以外の翼型が第２ブレード１２２の翼型として採用されることも想定できる。
【０１０４】
（４）上述の各実施形態では図１等に示すように、遠心ファン１２に対する空気流れ上流側にフィルタ２６が設けられているが、そのフィルタ２６が無いこともあり得る。
【０１０５】
（５）上述の各実施形態では図３および図４に示すように、第１ブレード１２１の枚数は、第２ブレード１２２の枚数よりも少ないが、これは一例である。例えば、第１ブレード１２１の枚数が第２ブレード１２２の枚数に対し多い場合も同数である場合も想定できる。
【０１０６】
（６）なお、本発明は、上述の実施形態に限定されることなく、種々変形して実施することができる。また、上記各実施形態において、実施形態を構成する要素は、特に必須であると明示した場合および原理的に明らかに必須であると考えられる場合等を除き、必ずしも必須のものではないことは言うまでもない。
【０１０７】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１０８】
（まとめ）
上記各実施形態の一部または全部で示された第１の観点によれば、遠心ファンは、複数枚の第１ブレードと複数枚の第２ブレードとの間に設けられた分離板部を有している。その分離板部は、径方向に拡がる板状を成し、且つ、複数枚の第１ブレードの相互間に流れている空気と複数枚の第２ブレードの相互間に流れている空気とを分離する。また、遠心ファンは内側延設部を有し、その内側延設部は、分離板部から径方向の内側へ延設されて形成されている。そして、その内側延設部は、分離板部に対して接続された第１ブレードの接続端と分離板部に対して接続された第２ブレードの接続端との何れに対しても径方向の内側に設けられている。
【０１０９】
また、第２の観点によれば、隔壁筒部は、内側延設部を含んで構成され、遠心ファンと共に回転する。つまり、分離板部は、その分離板部に対する径方向の内側にて隔壁筒部に連結している。従って、隔壁筒部の径方向内側に流れる空気と径方向外側に流れる空気とを分離したまま、第１ブレードと第２ブレードとへそれぞれ導くことが可能である。そのため、分離板部が隔壁筒部に対して分離している場合に分離板部と隔壁筒部との間の隙間が原因で生じ得る渦の発生を回避することができる。すなわち、そのような渦が複数枚の第１ブレードの相互間および複数枚の第２ブレードの相互間へ吸い込まれることに起因したファン性能の低下を回避することが可能である。
【０１１０】
また、第３の観点によれば、隔壁筒部は、遠心ファンに対し別部材として構成されており、回転しない非回転部材である。そして、隔壁筒部は、複数枚の第１ブレードの相互間へ吸い込まれる空気と、複数枚の第２ブレードの相互間へ吸い込まれる空気とを、内側延設部に対する空気流れ上流側で隔てる。従って、隔壁筒部が例えば遠心ファンと一体構成である場合と比較して、遠心ファンの構造を簡素化しやすく、遠心式送風機の生産性の向上を図ることが可能である。
【０１１１】
また、第４の観点によれば、遠心ファンを収容するファンケースには、遠心ファンの径方向外側にてその遠心ファンを取り囲み且つその遠心ファンから空気が流入するファン周囲空間が形成される。また、仕切板は、そのファン周囲空間を、第１吹出通路と、その第１吹出通路に対し軸方向の一方側に配置された第２吹出通路とに仕切る。第１吹出通路には、複数枚の第１ブレードの相互間から吹き出された第１の吹出空気が流入する。その一方で、第２吹出通路には、複数枚の第２ブレードの相互間から吹き出された第２の吹出空気が流入する。また、仕切板は、その第１の吹出空気が第２吹出通路へ流れることを防止し且つ第２の吹出空気が第１吹出通路へ流れることを防止するように配置されている。従って、隔壁筒部によって互いに分けられて遠心ファンに吸い込まれた空気を、その分けられた空気同士の混合を防止したまま、第１および第２吹出通路のそれぞれから遠心送風機の外へ流すことが可能である。
【０１１２】
また、第５の観点によれば、遠心ファンへ向かう空気を濾過するフィルタが、隔壁筒部に対する軸方向の一方側に設けられ、その隔壁筒部は、フィルタにまで延びている。従って、隔壁筒部の径方向内側へ向かう空気と隔壁筒部の径方向外側へ向かう空気とがフィルタの空気流れ下流側で混ざり合うことを防止することが可能である。
【０１１３】
また、第６の観点によれば、上流側隔壁部は、隔壁筒部とは別部材として隔壁筒部に対し軸方向の一方側に設けられ、隔壁筒部に対して軸方向に直列に並ぶ筒状を成す。そして、上流側隔壁部は、隔壁筒部の内側へ流れる空気とその隔壁筒部の外側へ流れる空気とを隔壁筒部に対する空気流れ上流側で隔てる。また、遠心ファンへ向かう空気を濾過するフィルタが、上流側隔壁部に対する軸方向の一方側に設けられ、上流側隔壁部は、そのフィルタにまで延びている。このようにしても、上記第５の観点と同様に、隔壁筒部の径方向内側へ向かう空気と隔壁筒部の径方向外側へ向かう空気とがフィルタの空気流れ下流側で混ざり合うことを防止することが可能である。
【符号の説明】
【０１１４】
１０        送風機（遠心式送風機）
１２        遠心ファン
１４        隔壁筒部
１２１      第１ブレード
１２２      第２ブレード
１２３      分離板部
１２６      内側延設部
１４１      筒状部
１４２      拡径部
ＣＬ        ファン軸心
【図１】
2019173570.tif 000003
【図２】
2019173570.tif 000004
【図３】
2019173570.tif 000005
【図４】
2019173570.tif 000006
【図５】
2019173570.tif 000007
【図６】
2019173570.tif 000008